(57)【特許請求の範囲】
【請求項１】
筐体の内部に機器本体が収納され、機器本体の長方形の端面とこの端面に対向する筐体の側面との間に３個のばねが掛けられ、前記機器本体の重心を通り前記端面に垂直な線を重心線とし、前記端面において前記重心線を通り且つ前記端面の短辺と平行に延びる軸をＹｇとし、前記端面において前記重心線を通り且つ前記端面の長辺と平行に延びる軸をＸｇとしたときに、前記筐体の前記短辺に位置する側面に前記軸Ｘｇに沿って記録媒体を挿入する挿入部が設けられ、前記筐体が、前記ばねの向きを掛け変えることなく、軸Ｙｇが重力方向に向く第１の姿勢と、前記軸Ｘｇが重力方向に向き且つ前記挿入部が反重力方向に向く第２の姿勢とに設置可能とされた車載用機器の支持装置であって、
第１のばねと機器本体との連結点、および第２のばねと機器本体との連結点は、軸Ｙｇを挟んで両側に位置し、第３のばねと機器本体との連結点は、軸Ｘｇに沿う方向において前記第１のばねの前記連結点と第２のばねの前記連結点との間に位置し、第１のばねの前記連結点および第２のばねの前記連結点が、軸Ｘｇに対して一方の側に位置するとともに、第３のばねの前記連結点が、軸Ｘｇを挟んで第１のばねの前記連結点および第２のばねの前記連結点と逆側に位置し、
前記３個のばねの全てが、前記軸Ｙｇと軸Ｘｇの双方に対して傾く向きで、且つ前記３個のばねの全てが軸Ｘｇを横切るように配置され、前記第３のばねが、軸Ｘｇと軸Ｙｇの双方を横切るように配置されており、
筐体が前記第１の姿勢に設置されたときと第２の姿勢に設置されたときの双方において、２個のばねの引っ張り力の分力が前記機器本体に対して反重力方向へ作用し、他の１個のばねの引っ張り力の分力が機器本体に対して重力方向へ作用することを特徴とする車載用機器の支持装置。
【請求項２】
機器本体に対して反重力方向へ分力を作用させる前記２個のばねは、引っ張り力の分力が水平方向へ互いに相反する向きで作用する請求項１記載の車載用機器の支持装置。
【発明の詳細な説明】
【０００１】
【発明の属する技術分野】
本発明は、車載用のマガジン装填式ディスク装置（ディスクチェンジャ）などのように、筐体内で機器本体がばねにより弾性的に支持されている車載用機器の支持装置に係り、特に異なる向きで設置されたときの双方の姿勢において機器本体を安定して支持できるようにした車載用機器の支持装置に関する。
【０００２】
【従来の技術】
車載用機器では、機器本体が筐体内に弾性的に支持されて、車体振動が筐体に作用したときに機器本体に対して振動が直接に作用するのを防止し、機器本体内の例えばディスク駆動機構の動作が安定できるようにしている。
図５は車載用機器の一例としてマガジン装填式ディスク装置（ディスクチェンジャ）を端面方向から見た概略図である。
【０００３】
筐体１の内部には機器本体２が収納されている。この機器本体２には、複数のディスクが収納されたマガジンがＡ方向から挿入される。機器本体２内にはＹ方向へ移動するディスク駆動部３が搭載されている。ディスク駆動部３が機器本体２内でＹ方向へ移動し、マガジン内のいずれか一枚のディスクが選択される。ディスク駆動部３がマガジン内の選択されたディスクに対向して停止すると、マガジン内からディスクが引き出されディスク駆動部３に装填されて駆動される。
【０００４】
機器本体２は、筐体１の内部において、複数のばね（引っ張りばね）４ａ，４ｂにより支持されている。図５の従来例では、ばね４ａ，４ｂの機器本体２への連結点を符号２ａで示し、２個のばね４ａの筐体１への連結点を符号１ａで、また２個のばね４ｂの筐体１への連結点を符号１ｂで示している。すなわち、機器本体２の端面において、機器本体２は筐体１内で４本のばね４ａ，４ｂにより支持されていることになる。図５に現れている端面と逆側の端面においても同様に、４本のばね４ａ，４ｂにより機器本体２が支持されている。
【０００５】
４本のばね４ａと４ｂは、図５において機器本体２の重心Ｇを通る軸Ｘｇに対して上下に対称に２本ずつ張設されている。図５および図６では、２本のばね４ａの引っ張り力をＦａ、この力Ｆａの軸Ｘｇ方向の分力をＦａ１で示し、Ｙｇ方向の分力をＦａ２で示している。また他の２本のばね４ｂの引っ張り力をＦｂ、この力Ｆｂの軸Ｘｇ方向の分力をＦｂ１、軸Ｙｇ方向の分力をＦｂ２で示している。
このディスク装置は、図５に示すように軸Ｙｇが重力方向に向けられる第１の姿勢と、図６に示すように軸Ｘｇが重力方向に向けられる第２の姿勢の双方の向きで設置可能とされており、その向きはユーザが選択する。
【０００６】
図５と図６に示すものでは、軸Ｘｇを挟んで２本ずつのばね４ａと４ｂが対称な向きに設けられているため、図５に示す第１の姿勢のときに、水平方向に関しては分力Ｆａ１とＦｂ１がほぼ釣り合い、垂直方向に関しても分力Ｆａ２とＦｂ２がほぼ釣り合う。また図６に示す第２の姿勢に設置されたときも、水平方向に関しては分力Ｆａ２とＦｂ２がほぼ釣り合い、垂直方向に関しては分力Ｆａ１とＦｂ１とがほぼ釣り合う。
したがって、ユーザが図５に示す第１の姿勢に設置して使用する場合と、図６に示す第２の姿勢に設置して使用する場合とで、ばねの張設方向や張設位置を付け変える必要がない。
【０００７】
【発明が解決しようとする課題】
しかし、図５と図６に示す従来のマガジン選択式ディスク装置の支持装置では以下に列記する問題点がある。
（１）第１の姿勢と第２の姿勢の双方において、機器本体２に連結されている２本のばね４ａの引っ張り力による垂直方向の分力Ｆａ２（図５）またはＦａ１（図６）と、ばね４ｂによる引っ張り力による垂直方向の分力Ｆｂ２（図５）またはＦｂ１（図６）とが垂直方向に互いにほぼ釣り合うようになっている。したがって、図５と図６の両姿勢において、機器本体２を重力に対抗して吊り下げる弾性支持力が弱くなり、機器本体２が筐体１内で重力方向に沈みがちである。よって、筐体１に垂直方向の大きな振幅の振動が作用すると、機器本体２が筐体１の底部に当りやすく、機器本体２に損傷を与えやすい。
【０００８】
（２）図６に示す第２の姿勢では、各ばね４ａ，４ｂと機器本体２との連結点２ａ，２ａが、重心Ｇを通る垂直線（軸Ｘｇ）上に位置している。機器本体２におけるばね４ａ，４ｂの支持点が重心Ｇを通る垂直線（Ｘｇ）上に位置しているために、図６の姿勢では、機器本体２がα方向およびβ方向への回転方向に不安定である。したがって、例えば機器本体２内においてディスク駆動部３がディスク選択動作のためにＹ方向へ移動し、機器本体２の重心が軸Ｘｇに対して左右いずれかの方向へずれると、機器本体２が重心の偏り方向へ向けてα方向またはβ方向へ傾きやすくなる。筐体１内で機器本体２が傾くと、外部振動が与えられたときに、機器本体２が筐体１の内壁に当りやすくなり、またＡ方向からマガジンを装填しようとしたときに機器本体２の挿入口が傾いているために、装填しにくくなる。
【０００９】
（３）図５と図６に示すものでは、マガジンがＡ方向から機器本体２内に装填されるが、Ａ方向に対して各ばねの分力Ｆａ１とＦｂ１は互いにほぼ釣り合っている。したがって、マガジンを機器本体２に対してＡ方向へ装填するときに、挿入力により機器本体２が軸Ｘｇに沿って動きやすい。そのため、マガジンの挿入操作感触が悪くなる。
【００１０】
本発明は上記従来の課題を解決するものであり、筐体が第１と第２の姿勢に設置されたときに、いずれの場合も機器本体が安定して支持され、また機器本体の重心が移動しても、機器本体の傾きが生じにくいようにした車載用機器の支持装置を提供することを目的としている。
【００１１】
【課題を解決するための手段】
本発明は、筐体の内部に機器本体が収納され、機器本体の長方形の端面とこの端面に対向する筐体の側面との間に３個のばねが掛けられ、前記機器本体の重心を通り前記端面に垂直な線を重心線とし、前記端面において前記重心線を通り且つ前記端面の短辺と平行に延びる軸をＹｇとし、前記端面において前記重心線を通り且つ前記端面の長辺と平行に延びる軸をＸｇとしたときに、前記筐体の前記短辺に位置する側面に前記軸Ｘｇに沿って記録媒体を挿入する挿入部が設けられ、前記筐体が、前記ばねの向きを掛け変えることなく、軸Ｙｇが重力方向に向く第１の姿勢と、前記軸Ｘｇが重力方向に向き且つ前記挿入部が反重力方向に向く第２の姿勢とに設置可能とされた車載用機器の支持装置であって、
第１のばねと機器本体との連結点、および第２のばねと機器本体との連結点は、軸Ｙｇを挟んで両側に位置し、第３のばねと機器本体との連結点は、軸Ｘｇに沿う方向において前記第１のばねの前記連結点と第２のばねの前記連結点との間に位置し、第１のばねの前記連結点および第２のばねの前記連結点が、軸Ｘｇに対して一方の側に位置するとともに、第３のばねの前記連結点が、軸Ｘｇを挟んで第１のばねの前記連結点および第２のばねの前記連結点と逆側に位置し、
前記３個のばねの全てが、前記軸Ｙｇと軸Ｘｇの双方に対して傾く向きで、且つ前記３個のばねの全てが軸Ｘｇを横切るように配置され、前記第３のばねが、軸Ｘｇと軸Ｙｇの双方を横切るように配置されており、
筐体が前記第１の姿勢に設置されたときと第２の姿勢に設置されたときの双方において、２個のばねの引っ張り力の分力が前記機器本体に対して反重力方向へ作用し、他の１個のばねの引っ張り力の分力が機器本体に対して重力方向へ作用することを特徴とする
ものである。
【００１２】
また、機器本体に対して反重力方向へ分力を作用させる前記２個のばねは、引っ張り力の分力が水平方向へ互いに相反する向きで作用することが好ましい。
【００１３】
上記本発明では、筐体が第１の姿勢と第２の姿勢の双方の姿勢にて設置されるが、そのいずれの姿勢においても、３個のばねのうちの２個により、機器本体に上向きの弾性力が与えられる。したがって、第１の姿勢と第２の姿勢の双方において、機器本体はばねにより重力方向へ安定して支持される。また重心を通る垂直線の両側にて機器本体が重力方向へ支持されているため、回転方向の力に対して安定する。よって例えばマガジン装填式ディスク装置（ディスクチェンジャ）などのように、機器本体の内部でディスク駆動機構などが移動し重心が水平方向へ移動したときでも、機器本体に傾きが生じにくくなる。
【００１４】
また、第１と第２の姿勢の双方において、２個のばねが互いに相反する方向にて上方へ斜めに延びるようにすると、いずれの姿勢においても、機器本体は重力方向と水平方向の双方に対して安定して支持されることになる。
【００１５】
また、前記３個のばねの全てが、一方の軸Ｘｇを横切るように配置され、３個のばねのうちの中間に位置する１個のばねが、軸Ｘｇと軸Ｙｇの双方を横切るように配置されているため、筐体の高さ寸法の短い方向に向けて取り付けられるばねを、充分な長さにでき、振動による機器本体の移動距離に対して弾性力の変化が少ない最適なばね定数のばねを使用することができる。
【００１７】
この構成により、記録媒体を機器本体に挿入するときに、その挿入力により機器本体が動きにくくなり、記録媒体を挿入するときの操作を安定させることができる。なお、この記録媒体は、単独のものを機器本体に挿入する場合もあるし、または複数の記録媒体が収納されたマガジンを挿入する場合もある。
【００１８】
【発明の実施の形態】
図１は本発明の車載用機器の一例として車載用のマガジン装填式ディスク装置（ディスクチェンジャ）の支持装置を示す斜視図、図２は図１をＩＩ矢視方向から見た端面図、図３は第１の姿勢のときの機器本体の支持状態を説明する説明図、図４は第２の姿勢のときの機器本体の支持状態を説明する説明図である。
図１に示す符号１１は、外装となる筐体であり、この筐体１１の内部に機器本体１２が収納されている。機器本体１２は、筐体１１の内容積よりもわずかに小さい体積を有する本体シャーシ１３を有し、この本体シャーシ１３内に各種機構が搭載されている。
【００１９】
本体シャーシ１３には挿入口１３ａが開口し、筐体１１にも前記挿入口１３ａに連通する開口１１ａが設けられており、この開口１１ａは図示しない扉により開閉できるようになっている。この扉を開いた状態でマガジンＭがＡ方向へ挿入され、開口１１ａおよび挿入口１３ａを経て本体シャーシ１３内に装填される。マガジンＭ内には複数枚のディスクＤ（例えばＣＤ）が収納されており、挿入方向Ａに対して右側の側面がマガジンＭの開口部Ｍａである。
【００２０】
マガジンＭの開口部Ｍａに対向する部分にはディスク選択・駆動部１４が設けられている。このディスク選択・駆動部１４は図示しない昇降駆動機構によりＹ方向へ駆動される。Ｙ方向への昇降移動により、マガジンＭ内のいずれか一枚のディスクが選択され、ディスク選択・駆動部１４は、選択されたディスクＤに対向する位置に停止する。ディスク選択・駆動部１４が停止すると、選択されたディスクがマガジンＭの開口部Ｍａから全体の半分よりもやや長い寸法分だけ引き出され、ディスクＤの中心部がディスク選択・駆動部１４内の回転テーブルにクランプされる。この状態で、ディスクが回転駆動され、ディスク選択・駆動部１４内の光ヘッドによりディスクＤに記録された信号が読み取られる。
【００２１】
図１に示すように、機器本体１２の本体シャーシ１３の端面１３ｂと、筐体１１の側端面１１ｂとの間には、機器本体１２を弾性的に支持する弾性支持装置Ｂ１が設けられている。また本体シャーシ１３の逆側の端面１３ｃと、筐体１１の逆側の側端面１１ｃとの間にも、前記弾性支持装置Ｂ１と同じ構造の弾性支持装置Ｂ２が設けられている。端面１３ｂ側の弾性支持装置Ｂ１と、端面１３ｃ側の弾性支持装置Ｂ２は、ばねによる支持方向などが同じ向きである。
【００２２】
図２では、機器本体１２の本体シャーシ１３の端面１３ｂの中心部に符号Ｇを付している。図２に示しているＧは、機器本体１２の内部中心に位置する重心を通り且つ端面１３ｂに垂直な重心線を意味しているが、以下においては、便宜上、図２において示されている符号Ｇを重心として説明する。また図２において重心Ｇを通って左右方向に延びる線を軸Ｘｇとし、重心Ｇを通って前記軸Ｘｇに直交して縦方向に延びる線を軸Ｙｇとする。
【００２３】
図１ないし図３は、いずれも前記軸Ｙｇが重力方向（垂直方向）に向けられて、筐体１１が第１の姿勢に設置された状態を示す。このとき機器本体１２内に対するマガジンＭの装填方向Ａは水平方向である。図４は、前記軸Ｘｇが重力方向（垂直方向）に向けられて、筐体１１が第２の姿勢に設置された状態を示す。このとき機器本体１２に対するマガジンＭの装填方向Ａは、上方から垂直下方向きである。
【００２４】
図２に示すように、前記本体シャーシ１３の端面１３ｂには、一対の支持軸２１ａ，２１ｂが固定して設けられ、筐体１１の側端面１１ｂの内面には、ダンパー部材２２ａ，２２ｂが固定されている。ダンパー部材２２ａ，２２ｂは、ゴムなどの弾性体により形成された袋内にシリコンオイルなどの高粘性流体が封入されたオイルダンパーであり、前記支持軸２１ａ，２１ｂはこのダンパー部材２２ａ，２２ｂ内に挿入されて、機器本体１２は筐体１１内で弾性的に支持されている。
【００２５】
上記支持軸２１ａ，２１ｂおよびダンパー部材２２ａ，２２ｂは、重心Ｇを挟んで斜め両側方に位置している。したがって、軸Ｙｇが重力方向に向く第１の姿勢のときには、図２に示すように、この垂直軸である軸Ｙｇを挟んで、ダンパー部材２２ａ，２２ｂの弾性支持点（２１ａ，２１ｂ）が両側に同じ距離Ｌ１となるように割り振られて位置し、且つ図４に示すように軸Ｘｇが重力方向に向く第２の姿勢のときにも、垂直軸である軸Ｘｇを挟んで前記弾性支持点（２１ａ，２１ｂ）が両側に同じ距離Ｌ２となるように割り振られて位置する。よって第１の姿勢のときと第２の姿勢のときの双方において、端面１３ｂでは、２個のダンパー部材２２ａ，２２ｂにより、重心Ｇを挟んで水平方向の両側に均等な位置で支持されることになり、いずれの姿勢を選択して設置しても、ダンパー部材２２ａ，２２ｂによる安定した支持効果を期待できる。またこのダンパー部材による支持構造は、反対側の端面１３ｃに設けられた弾性支持装置Ｂ２においても同じである。
【００２６】
弾性支持装置Ｂ１には３個の引っ張りばね２３，２４，２５が設けられている。各ばね２３，２４，２５は、連結点２３ａ，２４ａ，２５ａで本体シャーシ１３の端面１３ｂに掛止されており、連結点２３ｂ，２４ｂ，２５ｂで筐体１１の側端面１１ｂに連結されている。上記ばね２３，２４，２５は、連結点２３ａ，２４ａ，２５ａを機器本体１２への弾性力の作用点として、機器本体１２に引っ張り力を与えている。また、ばね２３と２５が機器本体１２に与える引っ張り力の作用点（連結点２３ａ，２５ａ）は、共に軸Ｙｇを挟んで両側の均等な距離Ｌａに位置しており、また各ばね２３，２４，２５が機器本体１２に与える引っ張り力の作用点（連結点２３ａ，２４ａ，２５ａ）は、軸Ｘｇを挟んで両側に同じ距離Ｌｂに位置している。
【００２７】
図３と図４では、ばね２３，２４，２５のそれぞれの引っ張り力およびその方向をベクトルＦｃ，Ｆｄ，Ｆｅで示している。また、各引っ張り力Ｆｃ，Ｆｄ，Ｆｅの軸Ｘｇ方向の分力をＦｃ１，Ｆｄ１，Ｆｅ１で示し、軸Ｙｇ方向の分力をＦｃ２，Ｆｄ２，Ｆｅ２でそれぞれ示している。
まず、図３に示すように、重心Ｇを通る軸Ｙｇが重力方向（垂直方向）に向けられた第１の姿勢では、左右両側のばね２３と２５により、機器本体１２が斜め上方で且つ軸Ｘｇ方向において互いに異なる方向へ引っ張られている。すなわち、重心Ｇを通る軸Ｙｇの両側の均等な距離Ｌａを開けた位置において、ばね２３と２５の引っ張り力ＦｃとＦｅの分力Ｆｃ２とＦｅ２が、機器本体１２に対し上向きに作用している。また重心Ｇを通る軸Ｙｇのきわめて近傍において、ばね２４の引っ張り力Ｆｄの分力Ｆｄ２が下向きに作用している。よって、機器本体１２は、分力の総和（Ｆｃ２＋Ｆｅ２−Ｆｄ２）により上方へ引っ張り力を受け、しかもこの引っ張り力は、上向きが軸Ｙｇを挟んで距離Ｌａの均等な位置、下向きがほぼ軸Ｙｇの位置に作用するため、機器本体１２に対してバランスよく作用する。また分力の総和（Ｆｃ２＋Ｆｅ２−Ｆｄ２）が正の値になるため、この分力の総和により機器本体１２に対しては常に上向きの力が作用し、機器本体１２が自重により筐体１１の底部方向へ沈まないようになっている。
【００２８】
さらに、上向きの分力Ｆｃ２とＦｅ２の作用点（２３ａと２５ａ）が、重心Ｇを通る垂直な軸Ｙｇを挟んで左右両側に割り振られているため、機器本体１２はα方向およびβ方向への回転方向へ動きにくくなっており、図３に示す第１の姿勢で、機器本体１２が傾かないようになっている。
次に、図４に示すように、重心Ｇを通る軸Ｘｇが重力方向（垂直方向）に向く第２の姿勢に設置されたときは、ばね２３と２４が、機器本体１２を斜め上向きに持ち上げ、また引っ張り力ＦｃとＦｄの斜め上向きの方向が、軸Ｙｇ方向に対して相反する向きとなっている。
【００２９】
よって、ばね２３と２４の引っ張り力ＦｃとＦｄの分力Ｆｃ１とＦｄ１とにより、機器本体１２に対して上向きの力が作用する。また、図４に示す第２の姿勢における機器本体１２の下方位置では、ばね２５の引っ張り力Ｆｅによる分力Ｆｅ１が下向きに作用する。上向きへの分力Ｆｃ１とＦｄ１の作用点（連結点２３ａと２４ａ）は重心Ｇを通る垂直な軸Ｘｇに対して左右均等な距離Ｌｂの位置に作用し、下向きの分力Ｆｅ１を発揮するばね２５の作用点（連結点２５ａ）は軸Ｘｇから大きく離れているものではないため、第２の姿勢においても、機器本体１２に対して分力の総和（Ｆｃ１＋Ｆｄ１−Ｆｅ１）が上向きにバランスよく作用する。前記総和（Ｆｃ１＋Ｆｄ１−Ｆｅ１）は正の値となるため、機器本体１２には常に上向きの力が作用し、第２の姿勢の機器本体１２が自重で筐体１１内で沈み込むことがなくなる。
【００３０】
さらに図４の第２の姿勢において、機器本体１２を上向きに持ち上げている分力の作用点である連結点２３ａと２４ａは、重心Ｇを通って重力方向に延びる軸Ｘｇを挟んで水平方向に間隔Ｌｂを開けて配置している。したがって、機器本体１２は図４に示すα方向とβ方向へ回転しにくく傾斜しにくい安定状態で支持されている。そのため、図１に示すディスク選択・駆動部１４が機器本体１２内でＹ方向へ移動し、機器本体１２の重心Ｇが軸Ｙｇに沿って図４の左右方向へ動いたとしても、このときの重心Ｇはばね２３と２４の作用点である連結点２３ａと２４ａの間に位置し、よってディスク選択・駆動部１４が移動しても、機器本体１２が筐体１１内で傾くことが生じにくくなる。
【００３１】
また、図３に示す第１の姿勢と、図４に示す第２の姿勢の双方において、各ばね２３，２４，２５の引っ張り力のマガジン挿入方向Ａに向かう分力はＦｅ１のみであり、挿入方向Ａに対抗する方向の分力はＦｃ１とＦｄ１の双方である。よって、マガジンＭが挿入され機器本体１２が挿入方向Ａへ押されたときの抵抗力が大きくなる。よってマガジンＭの挿入時に機器本体１２が動きにくくなり、マガジンＭの装填時の操作感触が良好になる。
【００３２】
また、筐体１１の側端面１１ｂおよび本体シャーシ１３の端面１３ｂの幅寸法の短い方向（軸Ｙｇの方向）へのばね２３，２４，２５の配置では、各ばね２３，２４，２５が、重心Ｇを通る軸Ｘｇを横切っており、各ばね２３，２４，２５の機器本体１２側の連結点２３ａ，２４ａ，２５ａと、筐体１１側の連結点２３ｂ，２４ｂ，２５ｂが軸Ｘｇを挟んで両側に位置している。したがって、筐体１１の側端面１１ｂの幅寸法の短い方向に延びている各ばね２３，２４，２５の長さを十分に長く確保できる。
【００３３】
この点についてさらに説明すると、例えば、ばね２３と２４を図２において連結点２３ａと２４ａを起点として（イ）で示す方向と（ロ）に示す方向へ延びるように配置することが可能である。しかし、この場合には、各ばね２３と２４の筐体１１側の連結点を天井面と底面に接近して配置しなければならず、筐体１１の図２の上下方向の高さ寸法が小さい場合には、ばね２３と２４を短いものにしなければならない。しかし図２に示すように、ばね２３と２４および２５を軸Ｘｇを横切るように設けることにより、ばね２３，２４，２５を長くできる。その結果、例えば機器本体１２の変位量に対して弾性力の変化の少ない最適なばね定数を設定できるようになる。またばねの筐体側の連結点が天井面や底面に接近していないため、ばねを筐体１１に取付けしやすくなる。
なお、上記の各ばねの配置方向に関しては、本体シャーシ１３の他方の端面１３ｃに設けられる弾性支持装置Ｂ２においても同じである。
【００３４】
【発明の効果】
以上のように、本発明では、筐体を第１の姿勢に設置したときと第２の姿勢に設置したときの双方において、筐体内で機器本体が安定して支持される。また前記両姿勢において、ばねの力の作用点が、機器本体の重心を通って垂直方向に延びる軸を挟んで位置するため、機器本体が傾斜しにくくなり、その姿勢が安定する。また、記録媒体の挿入方向に対する機器本体の抵抗力を大きく設定することにより、記録媒体を機器本体に挿入するときの機器本体の大きな動きを防止できるようになる。
【図面の簡単な説明】
【図１】本発明の車載用機器の一例としてマガジン装填式ディスク装置の支持装置を示す斜視図、
【図２】図１をＩＩ矢視方向から見た端面図、
【図３】第１の姿勢のときの機器本体の支持状態を説明する説明図、
【図４】第２の姿勢のときの機器本体の支持状態を説明する説明図、
【図５】従来の車載用機器の支持装置において第１の姿勢に設置したときを示す端面図、
【図６】従来の車載用機器の支持装置において第２の姿勢に設置したときを示す端面図、
【符号の説明】
１１  筐体
１２  機器本体
１３  本体シャーシ
１３ａ  挿入口
１４  ディスク選択・駆動部
２２ａ，２２ｂ  ダンパー部材
２３，２４，２５  ばね
２３ａ，２４ａ，２５ａ  ばねと機器本体との連結点
２３ｂ，２４ｂ，２５ｂ  ばねと筐体との連結点
Ａ  マガジンの挿入方向
Ｆｃ，Ｆｄ，Ｆｅ  ばねの引っ張り力
Ｇ  重心
Ｍ  マガジン
【図１】
0003688058.tif 000002
【図２】
0003688058.tif 000003
【図３】
0003688058.tif 000004
【図４】
0003688058.tif 000005
【図５】
0003688058.tif 000006
【図６】
0003688058.tif 000007